Podtech/llm-jp-corpus-v4-ja_patent huggingface dataset:
(57)【要約】      （修正有）【課題】鍋蓋を調理台などに立てて置いたり、鍋やフライパンなどの縁に引っ掛けて立てたりすることができる支持具付き鍋蓋を提供する。【解決手段】コの字状のつまみを備え、コの字の一端が鍋蓋に固定され、コの字の他端が鍋蓋を上から見たときに鍋蓋より外側にあり、コの字の底辺を下にして鍋蓋自体を調理台などに接することなく置くことができ、コの字の他端に鍋蓋を鍋本体に引っ掛けて立てるスリットが設けられる。【選択図】図２
0003170830.tif 000002
【実用新案登録請求の範囲】
【請求項１】
鍋蓋のつまみ部分を改良することで、鍋蓋をつまみ部分で持ち上げ、鍋蓋自体を調理台などに接することなく置くことができる。また、鍋蓋を鍋本体に引っ掛けて立てることを特徴とする鍋蓋支持具を備えた鍋蓋。
【考案の詳細な説明】
【技術分野】
【０００１】
本考案は、調理中や盛り付けの際に、鍋蓋を調理台などに立てて置くことができ、また、鍋蓋を鍋やフライパンなどの縁に引っ掛けて立てることができる支持具付き鍋蓋に関するものである。
【背景技術】
【０００２】
通常、調理中又は盛り付けなどの作業をする場合、調理台などに鍋蓋を置くスペースがなく、鍋蓋置き場に困る場合がある。
【先行技術文献】
【特許文献】
【０００３】
【特許文献１】特開２００４−８９６３４
【考案の概要】
【考案が解決しようとする課題】
【０００４】
調理中又は盛り付け等の際、鍋蓋の置き場に困ることがある。本考案に近い文献に、特許文献１（特開２００４−８９６３４）があるが、蓋をテーブルに立てて置く場合、つまみと蓋の二点で支える為、加熱した蓋をビニール製のテーブルクロスなどの上に置くと溶ける心配がある。
【０００５】
また、特許文献１（特開２００４−８９６３４）は、蓋を鍋本体に引っ掛けるので、蓋が鍋の中に入る為、鍋いっぱいに具材を入れたら、蓋が浸かったり、鍋の口も狭くなり使い勝手が悪いという欠点がある。
【課題を解決するための手段】
【０００６】
鍋蓋を図３のように調理台等に置く場合、つまみ部のみで蓋を支えるものとする。これにより、ビニール製のテーブルクロスの上に加熱した蓋を置いても溶ける心配がなくなる。
【０００７】
図２、図４のように蓋を鍋自体に引っ掛ける場合も、つまみのフック部のみで支えることで、蓋が鍋の中に入らず鍋の口を狭めることがない。
【０００８】
図２、図４のように使用する場合、具材をある程度鍋いっぱいに入れても使用できるように、フック部の内側はなるべく小さくする。
【０００９】
図２、図４のように蓋を立てた場合、蓋内面の水滴が下に落ちるので、蓋の加重を鍋口に引っ掛ける外側フック部に掛かる状態で、蓋下部を鍋の内側にくるようにして、水滴が鍋の中に入るようにする。
【考案の効果】
【００１０】
本考案は、鍋から蓋を開けた場合、鍋蓋置き場に困ることがないように、調理台などに鍋蓋を立てて置くことができ、また、鍋の縁に引っ掛けて立てることができる。
【図面の簡単な説明】
【００１１】
【図１】本考案の一実施例の斜視図である。
【図２】本考案の一実施例の斜視図である。
【図３】本考案の一実施例の側面図である。
【図４】本考案の一実施例の側面図である。
【考案を実施するための形態】
【００１２】
図２、図４のように使用する場合、蓋の重みを鍋の外側に掛けすぎると鍋本体が倒れるので、鍋が倒れない程度の加重を鍋の外側に掛かるようにすれば、フック部の形状は、鍋の外側を大きく、内側を小さくすることができる。
【００１３】
フック部と鍋本体の接する部分には、耐熱性のプラスチックなどを使用するが、耐熱性のシリコンゴムにすれば、より密着性が増し、多少の振動でも鍋蓋がずれなくなり安定性が増す。
【実施例】
【００１４】
図１は鍋に蓋をしている状態である。
【００１５】
調理中や盛り付けのため、図２、図４は鍋の蓋を開け、鍋本体に鍋蓋を引っ掛けて立てている状態である。
【００１６】
図３は調理台などに鍋蓋を立てて置いてる状態である。
【符号の説明】
【００１７】
１  蓋
２  つまみ
３  フック内側部
４  フック外側部
５  鍋本体
６  鍋本体外側
７  鍋本体内側
【図１】
0003170830.tif 000003
【図２】
0003170830.tif 000004
【図３】
0003170830.tif 000005
【図４】
0003170830.tif 000006
【手続補正書】
【提出日】平成23年6月9日(2011.6.9)
【手続補正１】
【補正対象書類名】実用新案登録請求の範囲
【補正対象項目名】全文
【補正方法】変更
【補正の内容】
【実用新案登録請求の範囲】
【請求項１】
コの字状のつまみを備え、コの字の一端が鍋蓋に固定され、コの字のパターンが鍋蓋を上から見たときに鍋蓋より外側にあり、コの字の底辺を下にして鍋蓋自体を調理台などに接することなく置くことができ、コの字のパターンに鍋蓋を鍋本体に引っ掛けて立てるスリットが設けられたことを特徴とするつまみを備えた鍋蓋。
【手続補正書】
【提出日】平成23年7月26日(2011.7.26)
【手続補正１】
【補正対象書類名】実用新案登録請求の範囲
【補正対象項目名】全文
【補正方法】変更
【補正の内容】
【実用新案登録請求の範囲】
【請求項１】
コの字状のつまみを備え、コの字の一端が鍋蓋に固定され、コの字の他端が鍋蓋を上から見たときに鍋蓋より外側にあり、コの字の底辺を下にして鍋蓋自体を調理台などに接することなく置くことができ、コの字の他端に鍋蓋を鍋本体に引っ掛けて立てるスリットが設けられたことを特徴とするつまみを備えた鍋蓋。
(57)【要約】      （修正有）【課題】平板ブロック等を据付けるとき、片手で持てるようにしたブロック用グリップを提供する。【解決手段】アングル部分を据付けたいブロック側面に合わせハンドル１に手をあてハンドル２を上方向に握り締めることでアングルが狭まりブロックを固定し、据付けたい位置に移動して手を緩める事でブロックを据付ける事が出来る。【選択図】図１
0003170824.tif 000002
【実用新案登録請求の範囲】
【請求項１】
片手で簡単にブロックを挟み移動据付出来るブロック用グリップ
【考案の詳細な説明】
【技術分野】
【０００１】この考案は  平板ブロック等を据付るとき  片手で持てるようにしたものであり  機械工学に関するものである。
【背景技術】
【０００２】従来両手で掴み据付  最後の１枚は番線もしくは細い紐で吊下げ据付ていた。
【先行技術文献】
【０００３】
【特許文献】
【特許文献】無し
【考案の概要】
【考案が解決しようとする課題】
【０００４】従来両手で掴み据付  最後の１枚は番線もしくは細い紐で吊下げ据付ていたので作業効率が悪い欠点があった。
【課題を解決するための手段】
【０００５】本考案ブロック用グリップでブロック等を挟み据付たい所に置く
【考案の効果】
【０００６】今迄両手で掴み据付  最後の１枚は番線もしくは細い紐で吊下げ据付ていたが  本考案ブロック用グリップで片手で挟み簡単に据付られるので作業効率の向上が図れる。
【図面の簡単な説明】
【０００７】
【図１】本考案によるブロック用グリップの正面図
【図２】本考案によるブロック用グリップの側面図
【図３】本考案によるブロック用グリップの平面図
【図４】本考案によるブロック用グリップの斜視図
【図５】本考案によるブロック用グリップの使用形態を示す正面図
【考案を実施するための形態】
【０００８】図１は本考案ブロック用グリップの正面図である
図２は本考案ブロック用グリップの側面図である
図３は本考案ブロック用グリップの平面図である
図４は本考案ブロック用グリップの斜視図である
図５は本考案ブロック用グリップの使用形態である
【０００９】本考案ブロック用グリップは  ハンドル▲１▼とハンドル▲２▼を接続金具とボルトナットで留め接続金具に取付た挟みアングルが可動出来るようにしたものである
【００１０】接続金具とアングルは  接続金具外側下部に直角に取付  アングル内面に滑り止め用ゴムを張りつけた
【００１１】ハンドル▲１▼はハンドル▲２▼を引きあげた時接触しないよう  ハンドル▲２▼のスペースを確保する為２段仕様とした
【実施例】本考案ブロック用グリップ  アングル部分を据付たいブロック側面に合わせ  ハンドル▲１▼に手をあてハンドル▲２▼を上方向に握り締めることでアングルが狭まりブロックを固定  据付たい位置に移動手を緩める事でブロックを据付る事が出来る
【産業上の利用可能性】
【符号の説明】１．ハンドル▲１▼      ２．ハンドル▲２▼
３．接続金具            ４  アングル
５．滑り止ゴム          ６．ボルトナット
【図１】
0003170824.tif 000003
【図２】
0003170824.tif 000004
【図３】
0003170824.tif 000005
【図４】
0003170824.tif 000006
【図５】
0003170824.tif 000007
【手続補正書】
【提出日】平成23年4月25日(2011.4.25)
【手続補正１】
【補正対象書類名】実用新案登録請求の範囲
【補正対象項目名】全文
【補正方法】変更
【補正の内容】
【実用新案登録請求の範囲】
【請求項１】
直径２ｃｍ程度のパイプを上下に配し上部のパイプを長くしパイプ両端下部に  フラットバーを溶接下部パイプが可動出来るよう接続金具で下部パイプ  フラットバーをボルトナットでとめ  接続金具下部外側に直角方向に５ｃｍのアングルを溶接する
【手続補正書】
【提出日】平成23年7月14日(2011.7.14)
【手続補正１】
【補正対象書類名】実用新案登録請求の範囲
【補正対象項目名】全文
【補正方法】変更
【補正の内容】
【実用新案登録請求の範囲】
【請求項１】
パイプを上下に配した第１のハンドルの両端下部に，第１のハンドルと垂直方向にフラットバーを接続し，前記フラットバー及び第２のハンドルとを接続金具を介して接続し，接続金具下部外側に接続金具と直角方向にアングルを溶接したブロック用グリップであって，前記フラットバーと前記接続金具，前記接続金具と前記第２のハンドルとはボルトナットによって，第２のハンドルが可動出来るように接続されていることを特徴とするブロック用グリップ
(57)【要約】      （修正有）【課題】縞模様に並べた直径大の軽量パイプの中に直径小の軽量パイプを挿する左右可動式構造のペットハウス用引き戸式扉を提供する。【解決手段】軽量化や収納スペースに優れた手段として、縞模様に並べた直径大の軽量パイプ１の中に直径小の軽量パイプ２を挿入する。また、開閉時の摩擦力を減らす手段として直径大の軽量パイプ１と直径小の軽量パイプ２の表面に摩擦低減対策としてアルマイトコーティング処理をおこないスムーズな開閉が可能になるペットハウス用引き戸式扉を構成する。【選択図】図２
0003170826.tif 000002
【実用新案登録請求の範囲】
【請求項１】
縞模様に並べた直径大の軽量パイプの中に直径小の軽量パイプを挿入する左右可動構造のペットハウス用引き戸式扉。
【考案の詳細な説明】
【技術分野】
【０００１】ペットハウス用扉は、軽量構造の金属線材を網目に組み合わせた観音開き式扉が一般的だが本発明は縞模様に並べた直径大の軽量パイプの中に直径小の軽量パイプを挿入する左右可動構造のペットハウス用引き戸式扉に関するものである。
【背景技術】
【０００２】従来のペットハウス用扉は、軽量構造の金属線材を網目に組み合わせた観音開き式扉が一般的で、軽量化や収納スペースに優れた引き戸式扉の構造が困難である。
【考案の開示】
【考案が解決しようとする課題】
【０００３】従来のペットハウス用扉は、金属線材を網目に組み合わせた観音開き式扉が一般的で、軽量化や収納スペースに優れた引き戸式扉の構造が困難である。本発明は縞模様に並べた直径大の軽量パイプ▲１▼の中に直径小の軽量パイプ▲２▼を挿する左右可動式構造のペットハウス用引き戸式扉を提供する。
【課題を解決するための手段】
【０００４】軽量化や収納スペースに優れた手段として、縞模様に並べた直径大の軽量パイプ▲１▼の中に直径小の軽量パイプ▲２▼を挿入し収納スペースに優れた引き戸式扉。開閉時の摩擦力を減らす手段として直径大の軽量パイプ▲１▼と直径小の軽量パイプ▲２▼の表面に摩擦低減対策としてアルマイトコーティング処理をおこないスムーズな開閉が可能になるペットハウス用引き戸式扉。
【考案の効果】
【０００５】本発明のペットハウス用引き戸式扉は、縞模様に並べた直径大の軽量パイプ▲１▼の中に直径小の軽量パイプ▲２▼を挿入する軽量化と収納スペースに優れた扉。直径大の軽量パイプ▲１▼と直径小の軽量パイプ▲２▼の表面に摩擦低減対策としてアルマイトコーティング処理をおこないスムーズな開閉が可能になり効果に大いなるものがある。
【実施例１】
【０００６】実例では、縞模様に並べた直径大の軽量パイプ▲１▼の中に直径小の軽量パイプ▲２▼を挿入するパイプ固定枠▲３▼、直径大パイプ固定板▲４▼、直径小パイプ固定板▲５▼、樹脂ジョイント▲６▼を図２詳細図のように組立て左右可動式構造のペットハウス用引き戸式扉。【０００７】実例では、直径大の軽量パイプ▲１▼を直径１３ｍｍに、直径小の軽量パイプ▲２▼を直径１０ｍｍのアルミパイプを使用した、用途に応じて樹脂系パイプや金属系パイプも可能で、アルミパイプと直径寸法は、限定するものではない。【０００８】実例では、摩擦低減対策として直径大の軽量パイプ▲１▼と直径小の軽量パイプ▲２▼の表面にアルマイトコーティングを使用したが、樹脂コーティングや金属コーティングも可能でアルマイトコーティングに限定するものではない。【０００９】実例では、直径大の軽量パイプ▲１▼のカラーをブルー色に直径小の軽量パイプ▲２▼のカラーをピンク色にしたがカラーは多色着色が可能で色を限定するものではない。【００１０】実例では、引き戸式扉の形を長方形にしたが、丸形、ハート形などの異形も可能、長方形に限定するものではない。【００１１】実例では、引き戸式扉のサイズを厚み２０ｃｍ、縦４１２Ｃｍ、横５６２Ｃｍに製作したがサイズを限定するものではない。【００１２】実例では、ペットハウス用の扉に使用したが、ペット用サークル扉やペット用ゲージ扉に使用可能でペットハウス用の扉に限定するものではない。【００１３】実例では、直径大の軽量パイプ▲１▼と直径小の軽量パイプ▲２▼をパイプ固定枠▲３▼のパイプ固定に樹脂ジョイント▲６▼を使用したが、木系ジョイントや金属系ジョイントも使用でき、樹脂系に限定するものではない。
【図面の簡単な説明】
【００１４】
【図２】本発明の構造図
【符号の説明】
【００１５】▲１▼・・・直径大の軽量パイプ。▲２▼・・・直径小の軽量パイプ。▲３▼・・・パイプ固定枠▲４▼・・・直径大パイプ固定板▲５▼・・・直径小パイプ固定板▲６▼・・・樹脂ジョイント
【図１】
0003170826.tif 000003
【図２】
0003170826.tif 000004
【手続補正書】
【提出日】平成23年5月16日(2011.5.16)
【手続補正１】
【補正対象書類名】明細書
【補正対象項目名】００１４
【補正方法】変更
【補正の内容】
【００１４】
【図１】ペットハウス用  立体図（引き戸式扉開いた状態図）
【図２】本発明の構造図  平面図
【手続補正２】
【補正対象書類名】図面
【補正対象項目名】全図
【補正方法】変更
【補正の内容】
【図１】
0003170826.tif 000005
【図２】
0003170826.tif 000006
【手続補正書】
【提出日】平成23年7月28日(2011.7.28)
【手続補正１】
【補正対象書類名】手続補正書
【補正対象項目名】手続補正２
【補正方法】削除
【補正の内容】
(57)【要約】      （修正有）【課題】十分な伸縮性を持つことで異なる形態の弁当箱の固定が行え、密着性に優れることで安定して固定が行え、衛生的に使用でき、さらに、取り外すことなく電子レンジにおいて弁当の加熱が行える弁当箱固定用ベルトを提供する。【解決手段】環状形態で巻回装着されることで弁当箱１０を固定するように用いられる弁当箱固定用ベルト１であり、シリコンゴムによりなる。【選択図】図３
0003170849.tif 000002
【実用新案登録請求の範囲】
【請求項１】
環状形態で巻回装着されることで弁当箱を固定するように用いられる弁当箱固定用ベルトであり、シリコンゴムにより形成されてなることを特徴とする弁当箱固定用ベルト。
【請求項２】
外周面の両側縁に沿って、補強用突起が連続して一体に形成されてなる請求項１記載の弁当箱固定用ベルト。
【考案の詳細な説明】
【技術分野】
【０００１】  この考案は、弁当箱固定用ベルトの改良に関する。
【背景技術】
【０００２】  弁当箱として、おかずとご飯とを別個のボックスに納めそれらを積層状態して一体とする形態のものがあり、そのものでは積層状態のボックスを一体に固定する固定用ベルトが用いられる。また、蓋が安定しない場合には弁当箱を単独で用いる場合にも固定用ベルトが用いられる。現在、この固定用ベルトとしては、布とゴムとが一体に織り込まれた伸縮ベルトが汎用されている。
【考案の概念】
【考案が解決しようとする課題】
【０００３】  しかしながら、上記伸縮ベルトは使用に際し下記のような種々の問題があった。まず、伸縮性能が十分でないので弁当箱が単独で使用される場合、積層使用される場合それぞれにおいての兼用が難しかった。また、最近では弁当ボックスとして折り畳み形態のものが提供され、その場合には弁当が食された後には弁当ボックスそれぞれが折り畳み状態とされて積層されるのでその高さが低くなり、その際の固定が安定して行えなかった。
【０００４】  また、密着性に乏しいので固定が安定して行われないとともに、繰り返し使用する場合には汚れがついて不衛生となり、洗浄乾燥を繰り返し行うと劣化が早く進んだ。くわえて、最近では電子レンジにおいて弁当を加熱することが行われるが、上記構造の伸縮ベルトは耐熱性に劣り、熱損傷する恐れがあった。
【０００５】  この考案では、十分な伸縮性を持つことで異なる形態の弁当箱の固定が行え、密着性に優れることで安定して固定が行え、衛生的に使用でき、さらに、取り外すことなく電子レンジにおいて弁当の加熱が行える弁当箱固定用ベルト提供する。
【課題を解決するための手段】
【０００６】  この考案では、環状形態で巻回装着されることで弁当箱を固定するように用いられる弁当箱固定用ベルトであり、シリコンゴムにより形成されてなることを特徴とする弁当箱固定用ベルトを提供する。
【０００７】  上記構成の弁当箱固定用ベルトは、シリコンゴムよりなることで伸縮性に優れ、これにより、弁当ボックスの数が変わったり、また、弁当ボックスの形態の変わる場合等においても、同一のものが対応使用可能となる。また、シリコンゴム製であって弁当ボックスに密着することで安定装着され、これにより弁当ボックスは安定して積層固定される。また、使用毎に洗浄することで常に衛生的に用いられ、洗浄後の乾燥の必要が無いとともに、乾燥による劣化も殆どない。また、耐熱性（２００℃以下で使用可）に優れることで、取り外すことなく電子レンジにおける弁当の加熱が可能となる。
【０００８】  弁当箱固定用ベルトの厚さ、幅、環状長さは適宜であってよい。その外周面の両側縁に沿って補強用突起縁が連続一体に設けられていることで構造が強固となって切れにくくなり、また、捻じれにくいことでその取扱いが容易なものとになる。
【考案の効果】
【０００９】  この考案の弁当箱固定用ベルトによれば、伸縮性、密着性に優れていることで各種形態の弁当箱、積層形態の弁当箱の固定が安定して行えるようになる。また、この考案の弁当箱固定用ベルトは、洗浄することで常に衛生的に使用でき、かつ、耐熱性に優れることで電子レンジ内における使用が支障なく行える実用性に優れるものである。
【図面の簡単な説明】
【００１０】
【図１】  この考案の弁当箱固定用ベルトの実施形態の斜視図
【図２】  この考案の弁当箱固定用ベルトの実施形態の部分拡大断面図
【図３】  この考案の弁当箱固定用ベルトの実施形態の使用状態の斜視図
【図４】  この考案の弁当箱固定用ベルトの実施形態の使用状態の斜視図
【考案を実施するための形態】
【００１１】  図１はこの考案の弁当箱固定用ベルトの斜視図、図２は部分拡大断面図である。弁当箱固定用ベルト１はシリコンゴムよりなり、厚さ１ｍｍ、幅２ｃｍ、環状長さ２０ｃｍとする環状形態を有し、外周面の両側縁に沿って補強用突起縁２、２が連続一体に形成されている。この弁当箱固定用ベルト１はシリコンゴムよりなることで十分な伸縮性を備えてその環状長さを３５ｃｍとするまで伸び、これにより装着周り長さが２２〜３３ｃｍの弁当箱の固定に用いられる。
【００１２】  図３、図４はその使用状態を示す。図３においては、弁当箱固定用ベルト１は１個の弁当ボックス１０に巻回装着されて使用され、これにより弁当ボックス１０の蓋１１の外れが防止される。図４においては、弁当箱固定用ベルト１は積層される２個の弁当ボックス１０ａ、１０ｂに巻回装着されて使用され、これにより２個の弁当ボックス１０ａ、１０ｂの積層状態が安定し、かつ、弁当ボックス１０ｂの蓋１１の外れが防止される。上記のように、弁当箱を形成する弁当ボックスの数が変わったり、また、形態の変わる場合においても、弁当箱固定用ベルト１が十分な伸縮性を備えることで同一のものにより対応使用が可能となる。また、積層される弁当ボックスが折り畳み形態で弁当が食された後にその高さが低くなる場合にも支障なく用いられる。
【００１３】  また、使用に際しては、弁当箱固定用ベルト１はシリコンゴム製であって弁当ボックスに密着することで安定装着され、これにより弁当ボックスは安定して積層固定される。また、使用毎に洗浄することで常に衛生的に用いられる。また、弁当箱固定用ベルト１はシリコンゴム製であって耐熱性（２００℃以下で使用可）に優れることで、取り外すことなく電子レンジにおける弁当の加熱が可能となり便利である。
【００１４】  また、弁当箱固定用ベルト１は、外周面の両側縁に沿って補強用突起縁２、２が設けられていることで切れにくく、また、捻じれにくいことでその取扱いが容易である。
【符号の説明】
【００１５】１    弁当箱固定用ベルト
２    補強用突起縁
１０  弁当ボックス
【図１】
0003170849.tif 000003
【図２】
0003170849.tif 000004
【図３】
0003170849.tif 000005
【図４】
0003170849.tif 000006
(57)【要約】      （修正有）【課題】長期保存が可能で、簡単に食べられる即席薬膳飯を提供する。【解決手段】内部に仕切りのある皮種に具を区分けして入れて、成形した米飯の上部に埋め込み、これに生薬を加えた汁をかけて食べる。【選択図】図１
0003170847.tif 000002
【実用新案登録請求の範囲】
【請求項１】
内部に仕切りのある皮種に具を区分けして入れて、成型した米飯の上部に埋め込み、これに生薬を加えた汁（スープ）をかけて食べるようにつくられた、即席薬膳食。
【考案の詳細な説明】
【技術分野】
【０００１】  汁かけ飯及びお茶漬けは、炊いた米飯の上に具をのせ、汁又は茶をかけて食べる一般的な食事であるとともに、各地方の食材を活かした郷土料理でもある。
汁かけ飯及びお茶漬けをさらに美味しく、食餌効果を高め、且つ長期保存が可能で簡単に食べられる方法を考案した。
【背景技術】
【０００２】  汁かけ飯とお茶漬けは共通した食べ方であり、汁かけ飯は主として四国九州地方に、その地の食材をいかした郷土料理として多く存在する。
汁かけ飯は、米飯に具を乗せ、その上に汁をかけて食べるもので、一例をあげると鹿児島県奄美地方の郷土料理である汁かけ飯の鶏飯は、米飯の上に調理してほぐした鶏肉や錦糸卵、椎茸等の具を乗せて、これに鶏ガラをベースにしたスープをかけて食べる伝統的な汁かけ飯であり、他の汁かけ飯も食べ方は同様である。
この調理方法は、飯を炊く、具を調理する、汁をつくることからなり、食材の調達から調理まで一定の作業を要し、家庭或いは料理店で手間と時間をかけて作られている。
【考案の概要】
【考案が解決しようとする課題】
【０００３】  この汁かけ飯を、炊飯及び調理をすることなく、加熱するのみで簡単に食べられるインスタント食品化するとともに、生薬並びにハーブ等を加えて健康及び美容等に効果がある薬食（薬膳）に改良して、どこででも簡単に食べられる即席薬膳飯として提供することである。
【課題を解決する為の手段】
【０００４】  上記の課題を解決するには、以下の手段を講じる。
（１）具及び米飯を一体化することで容積を小さくし、保存及び包装が容易になる形状にする。
（２）汁（スープ）は、その食材に加えて、目的により調合した生薬等（例：美容食＝苡仁、玉竹、冬瓜子、等）を加えて抽出し、調味料で味付けして完成したものを、濃縮又は固形にする。
（３）上記の（１）及び（２）を真空包装又は密封し冷凍する。
【考案を実施するための形態】
【０００５】（１）具を皮種（もち米粉を原料とした最中の皮）を改良した容器に入れ、米飯と一体化する。
その方法は以下の通りである。
▲１▼  具の容器となる、内側に仕切りのある皮種をつくる。
▲２▼  この皮種に、調理加工後、水分を切った具を区分けして入れる。
▲３▼  具の入った皮種（最中状）を、適量の米飯で皮種の蓋側を薄くして握り飯状にくるむ。
▲４▼  これを型枠にいれて、花型等に成型する。（図１）
米飯で包むとき、皮種の蓋側を薄くすることにより、この部分を上にして汁（スープ）を加えると、米飯及び皮種の蓋が剥離して、具が米飯の上にのっている形になる。
▲５▼  汁（スープ）は、その食材に加えて、目的により調合した生薬等（例：美容食＝苡仁、玉竹、冬瓜子等）を加えて抽出し、調味料で味付けして完成したものを、濃縮又は固形にする。
▲５▼  これらを冷凍または真空包装する。
【発明の効果】
【０００６】  ▲１▼  具を米飯の中に収納することにより形状が小型化し簡素な形状となるため、包装及び保存が容易になり、冷凍食品として商品化することができる。
▲２▼  調理済みなので、加熱だけで食べられるインスタント食品として商品化できる。
▲３▼  生薬及びハーブ等を、専門家の調合したレシピに基づき加えてあり、薬食（薬膳）としての効果がある。
【図面の簡単な説明】
【０００７】
【図１】成型された米飯の図
【図２】成型された米飯の断面図
【図３】内部が区切られた皮種（容器）と蓋の図
【符合の説明】
【０００８】（１）米飯部分
（２）皮種に納められた具
（３）具をいれる皮種（容器）
（４）皮種の蓋
【図１】
0003170847.tif 000003
【図２】
0003170847.tif 000004
【図３】
0003170847.tif 000005
(57)【要約】      （修正有）【課題】車両の荷台に穴を開けることなく、すべての貨物車両に対応できる車重受け底板付き携帯用ミニクレーンの主柱を提供する。【解決手段】ミニクレーン１の下部の前後にタイヤガイド３の突起を設けた底板２を取り付ける。【選択図】図２
0003170845.tif 000002
【実用新案登録請求の範囲】
【請求項１】
ミニクレーン主柱▲１▼の下部の前後にタイヤガイド▲３▼の突起を設けた底板▲２▼を取り付けた事を特徴とする車重受け底板付携帯用ミニクレーンの主柱。
【考案の詳細な説明】
【技術分野】
【０００１】  本案は貨物車掲載用小型クレーンの主柱を車の車輪で固定、安定させる考案である。
【背景技術】
【０００２】  従来、貨物車掲載用のミニクレーンが荷を吊った時その主柱が車体に強固に固定されていないと転倒したりして大変危険であり、その固定方法はトラックの荷台上に強固に設置固定するタイプしか無かった。その為、荷台上に固定するための連結用の穴を開けざるを得なかった。車種によって多少構造が違うので同じように荷台に穴を開ける事が出来ないこともあり、又連結の為とは言えボディに穴を開ける事に抵抗を感じる人も多く、そうした穴を開けなくても固定、安定出来る方法が求められていた。
【考案の開示】
【考案が解決しようする課題】
【０００３】  ミニクレーンが荷を吊った時その主柱の底板を車の荷台に穴を開けボルトで固定しなくても倒れないようにする別の方法として、本案はミニクレーン主柱に底板を取付けて車輌のタイヤで踏みその車重で固定、安定させる考案で車体に穴を開けることなくすべての貨物車両に適応できるようにした考案である。
【課題を解決するための手段】
【０００４】  本案はミニクレーン主柱▲１▼の下部に車輌のタイヤで踏みやすく車重を受け安い形状にした底板▲２▼を強固に取り付けた事を特徴とする車重受け底板付き携帯用ミニクレーンの主柱である
【考案の効果】
【０００５】  本案は、車両の荷台に連結、固定用の穴を開けること無く、主柱の底板をタイヤで踏むことにより車重で固定、安定するものですべての貨物車両に適応でき、ミニクレーンを車に常設する必要がなく、分解、携帯式である為に他車両にも臨機応変に対応でき、使用する際はタイヤで踏むだけなので非常に利便性があり簡単である。よって、多くの人が利用しやすくなる。
【考案を実施するための最良の形態】
【０００６】  本案を使用するときには、主柱▲１▼を使用したい位置に立て、底板▲２▼をトラック等のタイヤで踏む。その際底板▲２▼の前後に設けたタイヤガイド壁▲３▼の突起内にタイヤの位置を収めた後は主柱上部に設置するアーム等を装着して荷を吊って荷台に乗せる。組み立てとは逆の手順で分解して外す。【０００７】  本案は上記のように主柱の底板をタイヤで踏み車重で押さえ固定、安定することを基本とする構造である。【０００８】
【図面の簡単な説明】
【０００９】
【図１】  本考案の平面図
【図２】  本考案の側面図
【図３】  本考案の正面図
【図４】  本考案使用状況の側面図
【符号の説明】▲１▼  ミニクレーンの主柱      ▲２▼  底板      ▲３▼  タイヤガイド壁
▲４▼  タイヤ
【図１】
0003170845.tif 000003
【図２】
0003170845.tif 000004
【図３】
0003170845.tif 000005
【図４】
0003170845.tif 000006
(57)【要約】      （修正有）【課題】電力を使用しないで、水をくみ上げ、屋根に流れ出させることで気化熱の原理を利用し、屋根を冷却する装置を提供する。【解決手段】地上にあるタンク１と屋根上部にある屋根に固定されたタンク２の間に井戸の手動ポンプアップ原理を用いた手動ポンプアップ装置３を設ける。【選択図】図１
0003170846.tif 000002
【実用新案登録請求の範囲】
【請求項１】
地上にあるタンクと屋根上部にある屋根に固定されたタンクの間に、井戸の手動ポンプアップ原理を用いた手動ポンプアップ装置を設けることにより電力を使用しないことを特徴として、地上にあるタンクから屋根上部にあるタンクに水をくみ上げ、その水を屋根に流れ出させることで気化熱の原理を利用し、屋根を冷却する装置である。
【考案の詳細な説明】
【技術分野】
【０００１】  本考案は、井戸の手動ポンプアップ原理を用い、地上にあるタンクから屋根上部にある屋根に固定されたタンクに水をくみ上げ、その水を屋根に流れ出させることで気化熱の原理を利用し、屋根を冷却するものである。
【背景技術】
【０００２】  電力を使用し、屋根を冷却していた。
【先行技術文献】
【非特許文献】
【０００３】
【非特許文献１】  「ポンプ随想」  大島忠剛著  信山社出版
【考案の概要】
【考案が解決しようとする課題】
【０００４】  屋根を冷却させるために、電力を使用していた。
電力をつくるには、時間的、経済的負担が大いに必要である。従って、電力の使用を必要とせずに、井戸の手動ポンプアップ原理を用いることで地上にあるタンクから屋根上部にある屋根に固定されたタンクへ水をくみ上げ、その水を屋根に流れ出させることで気化熱の原理を利用し、屋根を冷却させることが可能となり前述の欠点を解決しようとするものである。
【課題を解決するための手段】
【０００５】  本考案は、井戸の手動ポンプアップ原理を用い、地上にあるタンクから屋根上部にある屋根に固定されたタンクに水をくみ上げ、その水を屋根に流れ出させることで気化熱の原理を利用し、屋根を冷却させることが可能となり、電力使用の問題点を解決している。
【考案の効果】  上述の様に、本考案の電力を使用しない屋根冷却装置は、井戸のポンプアップ原理を用いることで、電力を使用することなく屋根を冷却させることが可能となる。しかも、屋根が冷却されることで屋根と一体化している建築物の室内温度を下げることも期待できる。
【図面の簡単な説明】
【０００６】
【図１】本考案の電力を使用しない屋根冷却装置の一実施例を示す正面図である。
【図１】
0003170846.tif 000003
(57)【要約】      （修正有）【課題】たこ焼きを食する時に二本の爪楊枝をうまく使えるたこ焼き用爪楊枝保持具を提供する。【解決手段】指先でつまめる程度のダンボールの一部を中芯に対して垂直に半切り罫を入れておき、使用時には指先で半切り罫より外側の部分を押して中芯をつぶすことでダンボールの中芯である波の部分に爪楊枝を差し込んでも突き抜けることなく、また戻りにくくし、二本の爪楊枝を固定することでたこ焼きを食べやすくした。【選択図】図１８
0003170841.tif 000002
【実用新案登録請求の範囲】
【請求項１】
一辺１センチから１０センチまでの任意の形を成した指先でつまめる程度の大きさのダンボール片の面に、中芯の方向に対して垂直に半切り罫を設けるとともにダンボール片の面に二次元コードあるいは三次元コードあるいはホームページのアドレスあるいは電子メールアドレスあるいは電話番号を印刷したたこ焼き用爪楊枝保持具。
【考案の詳細な説明】
【考案の詳細な説明】
【技術分野】
【０００１】たこ焼きを食する時に用いる爪楊枝を固定する用具に関する。
【背景技術】
【０００２】従来、たこ焼きを食するためには、爪楊枝が二本付けられており、その二本の爪楊枝を親指と人差し指で挟み、たこ焼きに突き刺して食べるのが本来の食べ方であった。
【考案が解決しようとする課題】
【０００３】たこ焼きについている二本の爪楊枝をうまく使えず、一本の爪楊枝では、たこ焼きが回転したり、たこ焼きが柔らかいため落としてしまうことがあった。
【０００４】また、二本の爪楊枝を固定する器具も存在するがプラスティック等から作られているものであり、環境に優しくなく、安価でもないものとなっている。
【課題を解決するための手段】
【０００５】ダンボールでもＢフルートあるいはＢフルートライトあるいはＦフルートと呼ばれるダンボールを指でつまめる程度の任意の大きさに切り、ダンボールの端面に表出している中芯の波の部分に二本の爪楊枝を差し込み、簡便に固定する器具を提供する。
【作用】
【０００６】指でつまめる程度の任意の大きさのダンボールに中芯に対して垂直に半切り罫を入れることで中芯を部分的に押しつぶし、爪楊枝が突き抜けにくく、また戻りにくいように工夫した。
【考案の効果】
【０００７】指でつまめる程度の任意の大きさのダンボールに二本の爪楊枝を差し込み利用することから、爪楊枝は、ダンボールの中で平行に位置し、半切りによってつぶされた中芯の部分が爪楊枝を適度に固定する。
【０００８】また任意の大きさのつまみとなる面は、広告面としても利用できることから店名や商品名や社名あるいは、二次元コードや三次元コードあるいはホームページのアドレスや電子メールアドレスあるいは電話番号などを印刷することを可能とする。
【図面の簡単な説明】
【０００９】
【図１】  基本図となる四角い爪楊枝保持具
【図２】  菱形爪楊枝保持具
【図３】  丸い爪楊枝保持具
【図４】  ハート型爪楊枝保持具
【図５】  十字型爪楊枝保持具
【図６】  台形型爪楊枝保持具
【図７】  六角型爪楊枝保持具
【図８】  六角型爪楊枝保持具
【図９】  星型爪楊枝保持具
【図１０】  かまくら型爪楊枝保持具
【図１１】  三角型爪楊枝保持具
【図１２】  扇型爪楊枝保持具
【図１３】  缶型爪楊枝保持具
【図１４】  中空四角型爪楊枝保持具
【図１５】  中空菱形爪楊枝保持具
【図１６】  ドーナツ型爪楊枝保持具
【図１７】  雪だるま型爪楊枝保持具
【図１８】  利用図−使用時
【図１９】  利用図−収納時
【図２０】  利用図−たこ焼きに爪楊枝を指して利用している様子
【図２１】  利用図−断面図
【考案を実施するための形態】
【００１０】  以下、本考案の実施の形態を添付図面に基づき具体的に説明する。図１は、本考案の一例を示す展開図である。中芯の流れに対して垂直に半切り罫を入れ、指などで半切り罫より外側を圧迫して中芯をつぶし、挿し込んだ爪楊枝が突き抜けず、あるいは抜けおちにくいように保持する力を与えている。
【００１１】  図１の平面図に対して、底面図と天面図は同じなので天面図は、省略する。
【００１２】  図１の平面図に対して、左側面図と右側面図は同じなので左側面図は、省略する。
【００１３】  図２から図１６は、平面図のみを記し、底面図と天面図と側面図は図１に準じ、省略する。
【産業上の利用の可能性】
【００１４】  段ボールを用いたたこ焼き用爪楊枝保持具。
【符号の説明】
【００１５】Ａ      図面上に記すダンボールの目方向の印
Ｂ      正面図
Ｃ      右側面図（左側面図は同じなので省略）
Ｄ      背面図
Ｅ      底面図（天面図は同じなので省略）
Ｆ１    断面図
Ｆ２    半切り罫の外側をつぶした断面図
Ｆ３    爪楊枝をダンボール差し込み、つぶれた中芯で止まっている断面図
１      半切り罫
２      中芯
３      二次元コードあるいは三次元コードあるいはホームページのアドレスあるいは電子メールアドレスあるいは電話番号
４      爪楊枝
５      たこ焼き
【図１】
0003170841.tif 000003
【図２】
0003170841.tif 000004
【図３】
0003170841.tif 000005
【図４】
0003170841.tif 000006
【図５】
0003170841.tif 000007
【図６】
0003170841.tif 000008
【図７】
0003170841.tif 000009
【図８】
0003170841.tif 000010
【図９】
0003170841.tif 000011
【図１０】
0003170841.tif 000012
【図１１】
0003170841.tif 000013
【図１２】
0003170841.tif 000014
【図１３】
0003170841.tif 000015
【図１４】
0003170841.tif 000016
【図１５】
0003170841.tif 000017
【図１６】
0003170841.tif 000018
【図１７】
0003170841.tif 000019
【図１８】
0003170841.tif 000020
【図１９】
0003170841.tif 000021
【図２０】
0003170841.tif 000022
【図２１】
0003170841.tif 000023
(57)【要約】      （修正有）【課題】衣類を汚損や破損および埃等から保護し、美観を保ち運搬又は保管する為の包装袋において、顧客が衣類保管時にポリ袋を適当な場所のミシン目から切り離し、保管用埃よけ肩カバーとして再利用可能な包装袋を提供する。【解決手段】衣類を汚損や破損および埃等から保護し、美観を保ち運搬又は保管する為の包装袋であるが、衣類販売店及びクリーニング店側は顧客に衣類を渡す時に袋から出して保管することをすすめるが、顧客は購入又はクリーニング後の衣類のほとんどは、受け取りから着用時まで包装袋に入ったまま保管する場合が多い。そこで、ハンガーに掛けて包装する包装用ポリ袋（ポリエチレン、ポピプロピレン製のものが主流）に切り離し用のミシン目を等間隔に複数入れ、保管時に埃が付き易い上部を残し、必要としない下部をミシン目に沿って切り離しやすくし、衣類保管中の埃、湿気、黄ばみ等から衣類を守る保管用埃よけ肩カバーとして再利用し、ゴミの減量化及びコストダウンが図れる。【選択図】図２
0003170850.tif 000002
【実用新案登録請求の範囲】
【請求項１】
衣料品店やクリーニング店等、衣類の運搬時等に使用する包装袋の中で、ハンガーに掛けて包装する包装用ポリ袋（ポリエチレン、ポピプロピレン製のものが主流）に切り離し用のミシン目を等間隔に複数入れ、保管時に埃が付き易い上部を残し、必要としない下部をミシン目に沿って切り離しやすくし、衣類保管中の埃、湿気、黄ばみ等から衣類を守る保管用埃よけ肩カバーとして再利用し、ゴミ減量化、企業のコストダウンを図る包装袋。
【考案の詳細な説明】
【技術分野】
【０００１】本考案に係わる包装袋は、衣類を扱う衣料品メーカーやクリーニング店等の運搬時に使用していた包装袋（ポリ袋）が、本来保管時には湿気がこもりカビの原因、黄ばみの原因となりうる為、保管時にはポリ袋から出して保管することを原則としていたが、この包装袋（ポリ袋）を使うことにより、ハンガーに掛けたまま埃、カビ、黄ばみを気にすることなく保管が可能となる包装袋（ポリ袋）に関するものである。
【背景技術】
【０００２】従来の包装袋（ポリ袋）には複数のミシン目が無く、保管時に包装袋（ポリ袋）から衣類を出すか、埃が付くのを嫌い、カビ、黄ばみの可能性があっても包装袋（ポリ袋）から衣類を出さない場合が多い。そこで、ハンガーに掛けたままの衣類において埃の付き易い肩部分の包装袋（ポリ袋）を残し、不必要な下部を切り取りやすくして包装袋（ポリ袋）を保管用埃よけ肩カバーとして再利用するものである。
【考案の開示】
【考案が解決しようとする課題】
【０００３】この包装袋（ポリ袋）は、運搬時にハンガーに掛かった衣類を汚損や破損および埃等から保護する目的で使用されていた包装袋を、保管用埃よけ肩カバーとして再利用することにより、保管時の埃、カビ、黄ばみを防ぐだけではなくゴミの減量化が見込める。
【課題を解決するための手段】
【０００４】本考案に係わる包装袋（ポリ袋）は、運搬用に衣類をハンガーに掛けた状態で包装する包装用ポリ袋（ポリエチレン、ポピプロピレン製のものが主流）に切り離し用のミシン目を等間隔に複数入れ、保管時に埃が付き易い上部を残し、必要としない下部をミシン目に沿って切り離しやすくし、保管用埃よけ肩カバーとして再利用でき、ゴミ減量化を図るものである。【０００５】包装袋（ポリ袋）には、様々な原材料が使われている。透明なポリ袋は中身が見えやすいが、透明度の低いポリ袋の場合は、保管時に中身が確認しにくい物もあり、その場合ミシン目から下を切り離しておくことにより中身の確認が容易となる。【０００６】透明度が低いポリ袋は薄くて安価な物が多く、中の衣類が見えにくいが、保管時にミシン目から下を切り離しておくことにより中身の確認が容易となるので、安価なポリ袋を使用しやすくなり、包装資材のコストダウンとごみ減量化及び埃、カビ、黄ばみの予防が図れる。
【考案の効果】
【０００７】本考案の効果は、請求項１により次に記載した効果を奏するものである。【０００８】本考案により包装袋を再利用できる。衣類を取り出した後にポリ袋の下部をミシン目から切り離すことにより、保管用埃よけ肩カバーとして再利用することが出来る。【０００９】本考案により、運搬用として使われたポリ袋を再利用することにより、ゴミの減量化が見込める。【００１０】透明度が低い薄い安価なポリ袋を使用できるようになり、包装資材のコストダウンが見込まれ、経営安定に寄与することが出来る。
【考案を実施するための最良の形態】
【００１１】保管時に埃が付くのを嫌い、カビ、黄ばみの可能性があっても包装袋（ポリ袋）を取りはずさない場合が多いが、ミシン目から下部を切り離すことにより肩に付く埃を効果的に予防し、通気性がよくなりカビ、黄ばみを予防するものである。【００１２】透明度が低い安価なポリ袋を使用できるようになり、包装資材のコストダウンが見込まれ、上部を保管用埃よけ肩カバーとして再利用することによりゴミの減量化が期待できる物である。
【実施例】添付図面は、本考案に係わる包装袋の実施例について図示している。図１は紙管巻（ポリ袋が紙管にロール状に巻かれたもの）の切断前を示し、図２はハンガーに掛かった衣類を紙管巻ポリ袋で包装したものを図示したものである。図３は衣類床管時に図２のポリ袋を適当な場所のミシン目から切り離し、保管用埃よけ肩カバーとして再利用した図を示した。【００１３】ハンガーに掛けて包装する包装用ポリ袋（ポリエチレン、ポピプロピレン製のものが主流）に切り離し用のミシン目を等間隔に複数入れ、保管時に埃が付き易い上部を残し、必要としない下部をミシン目に沿って切り離しやすくし、衣類保管中の埃、湿気、黄ばみ等から衣類を守る保管用埃よけ肩カバーとして再利用し、ゴミの減量化及び企業のコストダウンが図れる包装袋である。【００１４】
【図面の簡単な説明】
【００１５】
【図１】紙管巻（ポリ袋が紙管にロール状に巻かれたもの）の切断前の図
【図２】ハンガーに掛かった衣類を紙管巻ポリ袋で包装した全体図
【図３】衣類保管時に図２のポリ袋を適当な場所のミシン目から切り離し、保管用埃よけ肩カバーとして再利用した図
【符号の説明】
【００１６】符号の説明
ミシン目  断続的に切れ目を入れ、切り離しやすいように加工している部分【００１７】
【図１】
0003170850.tif 000003
【図２】
0003170850.tif 000004
【図３】
0003170850.tif 000005
(57)【要約】      （修正有）【課題】パンツとスパイクが一体となりぴったり感があって動きやすく、裾がずれ下がって地面につくことも捲くれあがることもなく、安全でファッション性にも効果が期待できるパンツ裾固定用具を提供する。【解決手段】ベルト通しを施した固定用具１をスパイクの甲部に取り付け、スパイクの踵部には直接接着剤で踵部用の固定用具２を貼り付けることで、パンツの裾の裏側の生地がフック状に起毛された各固定用具の面ファスナーにて固定することができて、剥がすこともできることを特徴とする。【選択図】図１
0003170809.tif 000002
【実用新案登録請求の範囲】
【請求項１】
足の甲部を、紐もしくはベルトで止める野球スパイクにおいて、
面ファスナー１の裏面に丈夫で薄めの生地６を３個所で縫いつけて、２個のベルト通し３，４を形成してなり、
紐で止める野球スパイクの場合、一方のベルト通し３に紐をクロスして通してからスパイクの紐穴に通し、繰り返し他方のベルト通し４に通して残りの紐穴に通し締め上げて取付け、
ベルトで止める野球スパイクの場合、ベルト通し３、４にそれぞれベルトを通して止めて取付け、
一方、スパイクの踵部分には、フック状の面ファスナー２からなる踵部用の固定用具を、裏面に接着剤を塗布して直接貼り付け、
パンツの裾を甲部は固定用具により、踵部は踵部用の固定用具により固定することを特徴とする野球スパイクに備えるパンツ裾固定用具。
【考案の詳細な説明】
【技術分野】
【０００１】
本考案は野球用ユニフォームパンツとスパイクに関連して、面ファスナーによる固定用具に関するものである。
【背景技術】
【０００２】
野球用ユニフォームパンツで裾幅が広めで丈が長めのパンツは、既存のまま着用すると密着性が無く裾が地面に付くこともあって運動性と安全性に欠けるもので、また、丈を短めにしたパンツは、裾に縫い付けたゴムバンドをスパイクの底に掛けて裾がまくれ上がらないようにした足掛け式とがあるだけで格別の創意工夫が加えられているものはない。
【考案の概要】
【考案が解決しようとする課題】
【０００３】
裾幅が広めで丈が長めのパンツは体型に合わせて調整しても、激しいプレイ中に裾がまくれ上がったり密着性がなく、足掛け式のパンツではゴムバンドが汚れて伸びたり切れたりして交換しなければならない
【課題を解決するための手段】
【０００４】
上述の目的を解決するための本考案のスパイクに備える面ファスナーは、スパイクとパンツをしっかり固定させるために、甲と踵部分に加工した面ファスナーを取り付けることで、スパイクに被さったパンツの内側の生地がフック状に起毛された面ファスナーの表面に引っかかるように貼り付いた。
【考案の効果】
【０００５】
以上説明したとおり本考案によれば、スパイクの甲と踵部分に面ファスナーを取り付けたことによって、裾の長いパンツをスパイクの上から被せると、パンツの内側の生地がスパイクに取り付けた面ファスナーに貼り付いて、パンツとスパイクが一体となりぴったり感があって動きやすく、裾がずれ下がって地面につくことも捲くれあがることもなく、安全でファッション性にも効果が期待できるものになった。
【図面の簡単な説明】
【０００６】
【図１】スパイクとパンツが固定用具で貼り付き合っている外観斜視図である。
【図２】スパイクの甲と踵に取り付けた固定用具を平面図である。
【図３】スパイクの踵部に取り付けた固定用具を背面図である。
【図４】スパイクの後部に固定用具を取り付けた図である。
【図５】固定用具の裏面に、ベルト通しを縫い付けた図である。
【図６】固定用具の裏面にベルト通しを二列に施した斜視図である。
【図７】甲止め紐を固定用具のベルト通しに通した拡大図である。
【図８】甲止めベルトを固定用具のベルト通しに通した拡大図である。
【考案を実施するための形態】
【０００７】
以下、本考案の実施の形態を図面に基づき詳細に説明する。
【実施例１】
【０００８】
図２、で示す固定用具は、矩形状の面ファスナー１の裏面に、ベルト通し３、４を二列に配した状態となるように、丈夫で薄めの生地６を（縫い目５）縫いつけたものである。
【０００９】
図３で示すとおり、フック状に起毛された矩形状の面ファスナーを、直接スパイクの踵部に接着剤でしっかりと貼り付ける。
【００１０】
図２で示すとおり、スパイクの甲止めの紐を通す途中で、面ファスナーの裏に生地を縫いつけることにより施したベルト通し３に、紐をクロスして通してから紐穴に通し、もう一度ベルト通し４にクロスして通した後、残りの紐穴に交互に通して甲を締め上げると固定用具１はスパイクの甲部に固定される。
【実施例２】
【００１１】
スパイクには甲止めを紐式とベルト式の２種類があるが、紐式では図７、ベルト式では図８で示すとおり、本考案する固定用具１は、裏面にベルト通しを施したことによって紐もしくは、ベルトのどちらでも通すことができるので、スパイクの甲部に固定して取り付けることができる。
【００１２】
本考案により、走って激しくスライディングしても、パンツとスパイクは固定用具でしっかり貼り付いてパンツが捲くれ上がることもなく、土や砂がスパイクの中に入るのを防ぐこともできたし、裾が長めでも地面に引きずることもなくなった。
【産業上の利用可能性】
【００１３】
市販されているにもかかわらず、安全性などの理由で規制され着用することを禁じられる矛盾を解決した本考案は、技術はもちろんのことファッション性にもプロ野球に憧れる一般の多くの人たちに着用されることで製造、販売の産業分野に利用することができる。
【符号の説明】
【００１４】
１．  固定用具
２．  スパイクの踵部用の固定用具
３．  ベルト通し
４．  ベルト通し
５．  縫い目
【図１】
0003170809.tif 000003
【図２】
0003170809.tif 000004
【図３】
0003170809.tif 000005
【図４】
0003170809.tif 000006
【図５】
0003170809.tif 000007
【図６】
0003170809.tif 000008
【図７】
0003170809.tif 000009
【図８】
0003170809.tif 000010
(57)【要約】      （修正有）【課題】材質が鉄製で重量があり、小さくても安定性があり、単純構造で大量生産が出来る傘立てを提供する。【解決手段】鋼管を適当な長さに切断して、鋼管を立て、傘立てに使用する。丸型鋼管、角形鋼管等を適当な長さに切断して鋼管の底部に蓋を取付けた構造。鋼管１の底部に蓋２を取付け、鋼管１の上部内側入口を斜めに切り、傘の出し入れを良くする。転倒防止の為に鍔付き蓋を取付けても良い。【選択図】図１
0003169610.tif 000002
【実用新案登録請求の範囲】
【請求項１】
鋼管を立てた傘立て
【請求項２】
鋼管の底部に蓋をした傘立て
【請求項３】
底部鍔付き蓋を取付けた傘立て
【請求項４】
上部内側入口を斜めに切った傘立て
【考案の詳細な説明】
【技術分野】
【０００１】本考案は傘立てに関する物です。
【背景技術】
【０００２】従来の傘立ては本体が大きく、陶器等の材質は壊れやすく、大量生産が出来ず、狭い玄関内に置くと邪魔でした。
【考案の概要】
【考案が解決しようとする課題】
【０００３】一戸建てやアパートやマンション等の玄関内は狭い所が多く、傘や杖を収納する所が無く大きな傘立てを置くスペースもありません。陶器等で出来た傘立ては壊れやすくデザインも多様で大量生産が出来ませんでした。
【課題を解決する為の手段】
【０００４】本考案は丸型鋼管、角形鋼管等を適当な長さに切断して鋼管の底部に蓋を取付けた構造で前述の欠点を解決しようとする物です。
本考案を図面と共に説明すれば
鋼管（１）の底部に蓋（２）を取付け、鋼管（１）の上部内側入口（３）を斜めに切り、傘の出入れを良くする。本考案の転倒防止の為に鍔付き蓋（４）を取付けても良い。
【考案の効果】
【０００５】上述の様に本考案の鋼管の底部に蓋をした傘立ては、材質が鉄製で重量があり、小さくても安定性があり鍔を付けることにより、より安定性が増し、単純構造なので大量生産が出来る。
【図面の簡単な説明】
【０００６】
【図１】本考案の鋼管の底部に蓋を取付けた正面図
【図２】本考案の底部鍔付き縦断面図
【図３】本考案の平面図
【図４】本考案の底面図  左右側面図は正面図と同一にあらわれる。
【符号の説明】
【０００７】１、鋼管    ２、底部蓋    ３、斜め切り    ４、鍔付き蓋
【図１】
0003169610.tif 000003
【図２】
0003169610.tif 000004
【図３】
0003169610.tif 000005
【図４】
0003169610.tif 000006
【手続補正書】
【提出日】平成23年5月19日(2011.5.19)
【手続補正１】
【補正対象書類名】実用新案登録請求の範囲
【補正対象項目名】全文
【補正方法】変更
【補正の内容】
【実用新案登録請求の範囲】
【請求項１】
鋼管を立てた傘立て
【請求項２】
鋼管の底部に蓋をした傘立て
【請求項３】
底部鍔付き蓋を取り付けた傘立てを特徴とする請求項１又は２記載の傘立て
【請求項４】
上部内側入り口を斜めに切った傘立てを特徴とする請求項１又は２記載の傘立て